(57)【要約】【課題】  駆動力、駆動幅の大きなブレードアクチュエータを備えた弾性振動板ファンを提供することを目的する。【解決手段】  弾性変形可能なブレード部１２，２２と、該ブレード部１２，２２を往復作動させるブレードアクチュエータからなる弾性振動板ファンにおいて、上記ブレードアクチュエータを、電磁力によってブレード部１２，２２を往復作動させる電磁アクチュエータ１４，２４，２５により形成し、機械的に大きな駆動力、大きな駆動幅でブレード部１２，１２を往復作動させることができるようにした。【選択図】        図１
2005133555.tif 000002
【特許請求の範囲】
【請求項１】
弾性変形可能なブレード部（１２），（２２）と、該ブレード部（１２），（２２）を往復作動させるブレードアクチュエータとからなり、上記ブレードアクチュエータが、電磁力により上記ブレード部（１２），（２２）を往復作動させる電磁アクチュエータよりなることを特徴とする弾性振動板ファン。
【請求項２】
電磁アクチュエータは、ブレード部（１２）の一側部にあって、ブレード部（１２）を吸着又は離間する電磁石（１４）よりなることを特徴とする請求項１記載の弾性振動板ファン。
【請求項３】
電磁アクチュエータは、ブレード部（１２）の両側部にあって、ブレード部（１２）を吸着又は離間する左右一対の電磁石（１４），（１４）よりなることを特徴とする請求項１記載の弾性振動板ファン。
【請求項４】
ブレード部（１２）側には着磁部が形成されている一方、電磁アクチュエータは、上記ブレード部（１２）の両側部にあって、ブレード部（１２）の着磁部の極性に応じてブレード部（１２）を往復動方向に交互に吸着又は反発する左右一対の電磁石（１４），（１４）よりなることを特徴とする請求項１記載の弾性振動板ファン。
【請求項５】
電磁アクチュエータは、リニアモータ型の電磁アクチュエータよりなることを特徴とする請求項１記載の弾性振動板ファン。
【請求項６】
リニアモータ型の電磁アクチュエータは、電磁コイル（２６）を備えた固定子（２５）と、該固定子（２５）に対応して相対的に可動するブレード部（１２）側に取り付けられた振動子（２４）とからなることを特徴とする請求項５記載の弾性振動板ファン。
【請求項７】
固定子（２５）は、両端側に所定の距離をおいて一対の磁極部（２５ａ），（２５ｂ）を備え、同一対の磁極部（２５ａ），（２５ｂ）は、巻成された電磁コイル（２６）に印加される電流の方向に応じて相互に極性が切り換えられるようになっているとともに、対応する振動子（２４）は、一端側がＮ極、他端側がＳ極に着磁された永久磁石（２４ｂ）と同永久磁石（２４ｂ）を一体化したヨーク（２４ａ）よりなっていることを特徴とする請求項６記載の弾性振動板ファン。
【請求項８】
固定子（２５）は、両端側に所定の距離をおいて一対の磁極部（２５ａ），（２５ｂ）を備え、同一対の磁極部（２５ａ），（２５ｂ）は、巻成された電磁コイル（２６）に印加される電流の方向に応じて相互に極性が切り換えられるようになっているとともに、対応する振動子（２４）は、一端側がＮ極、他端側がＳ極に着磁される電磁石よりなっていることを特徴とする請求項６記載の弾性振動板ファン。
【請求項９】
固定子（２５）は、両端側と中央部に各々所定の距離をおいて磁極部（２５ａ），（２５ｂ），（２５ｃ）を備え、それら各磁極部（２５ａ），（２５ｂ），（２５ｃ）は、巻成された電磁コイル（２６）に印加される電流の方向に応じて相互に極性が切り換えられるようになっているとともに、対応する振動子（２４）は、一端側がＮ極、他端側がＳ極に着磁された永久磁石（２４ｂ）と同永久磁石（２４ｂ）を一体化したヨーク（２４ａ）よりなっていることを特徴とする請求項６記載の弾性振動板ファン。
【請求項１０】
固定子（２５）は、両端側と中央部に各々所定の距離をおいて磁極部（２５ａ），（２５ｂ），（２５ｃ）を備え、それら各磁極部（２５ａ），（２５ｂ），（２５ｃ）は、巻成された電磁コイル（２６）に印加される電流の方向に応じて相互に極性が切り換えられるようになっているとともに、対応する振動子（２４）は、一端側がＮ極、他端側がＳ極に着磁される電磁石よりなっていることを特徴とする請求項６記載の弾性振動板ファン。
【発明の詳細な説明】
【技術分野】
【０００１】
本願発明は、弾性振動板ファンの構造に関するものである。
【背景技術】
【０００２】
一般に圧電ファン等の弾性振動板ファンは、ブレードアクチュエータとしての加振手段と、該加振手段により加振可能に支持された弾性率の大きい薄板よりなるブレードと、上記加振手段およびブレードの基端側を固定する固定手段とから構成されている。
【０００３】
今、その構成を具体的に示すと、図６のようになる。
【０００４】
すなわち、該弾性振動板ファン１は、例えばブレード加振手段としての一対の圧電体２，２と、該一対の圧電体２，２の間に挟持された弾性率の大きい例えばプラスチック製の薄板よりなるブレード３と、上記圧電体２，２およびブレード３の基端側を固定する固定部材４とから構成されている（いわゆるバイモルフ素子構造）。ブレード３は、例えば一対の圧電体２，２よりも長さが長く、所望の風量を得るに十分な振幅と羽根幅のものに形成されている。
【０００５】
今、上記一対の圧電体２，２に正弦波の駆動電圧を印加すると、何れか一方側の圧電体２が伸びる一方、他方側の圧電体２が縮み、印加される駆動電圧の極性に応じて所定の周期で屈曲作動するようになり、上記固定部材４部分を固定して、その共振周波数の正弦波駆動電圧を与えるようにすると、上記ブレード３が、所定の振幅で、うちわ状に振動する。そして、ブレード３が中正点に復元するときに、押し出された空気が矢印で示すように前面方向に飛び出し、風を発生させる（例えば特許文献１，特許文献２参照）。
【０００６】
この時の風速および風量は、上記共振周波数やブレード３の先端振幅、羽根幅に依存する。またブレード３の先端振幅は、印加される駆動電圧の大きさに依存する。
【０００７】
このような構成の弾性振動板ファン１では、多翼ファン（シロッコファン）のような回転機構等の摺動部がないので、耐久性に優れ、またコイル部がないので電磁ノイズも発生しない。また、消費電力量も小さく、送風時の騒音も低い。
【０００８】
【特許文献１】特開２０００−１１０７９６号公報（第１−３頁、図１−２）
【０００９】
【特許文献２】特開昭６２−５５５００号公報（第１−４頁、第１図）
【発明の開示】
【発明が解決しようとする課題】
【００１０】
しかし、上記のような圧電バイモルフ型のアクチュエータは、圧電体の歪力を利用しているので、それ自体の変位力、変位幅が小さく、ブレードの駆動力、駆動幅を大きくすることができず、送風ユニットとして大風量を得ようとした場合に、有効に対応し得ない難点がある。
【００１１】
これは、さらに磁歪型のアクチュエータを用いた場合にも同様である。
【００１２】
本願発明は、このような問題を解決するためになされたもので、駆動力、駆動幅の大きなブレードアクチュエータを備えた弾性振動板ファンを提供することを目的とするものである。
【課題を解決するための手段】
【００１３】
本願発明は、上記の目的を達成するために、次のような課題解決手段を備えて構成されている。
【００１４】
（１）  第１の課題解決手段
この発明の第１の課題解決手段は、弾性変形可能なブレード部１２，２２と、該ブレード部１２，２２を往復作動させるブレードアクチュエータとからなり、上記ブレードアクチュエータが、電磁力により上記ブレード部１２，２２を往復作動させる電磁アクチュエータよりなることを特徴としている。
【００１５】
このようにブレードアクチュエータとして、電磁力によりブレード部１２，２２を往復作動させる電磁アクチュエータを採用すると、機械的に大きな駆動力、大きな駆動幅でブレード部１２，２２を往復作動させることができるようになる。
【００１６】
したがって、ブレード部１１，２２の幅、長さ等を大きくし、かつ駆動振幅を大きくして大風量化を図ろうとしたような場合にも、それに対応して十分に必要な駆動力、かつ駆動幅を得ることができる。
【００１７】
また、供給する電流値の可変により、その駆動状態を容易にコントロールすることができる。
【００１８】
（２）  第２の課題解決手段
この発明の第２の課題解決手段は、上記第１の課題解決手段の構成において、電磁アクチュエータは、ブレード部１２の一側部にあって、ブレード部１２を吸着又は離間する電磁石１４よりなることを特徴としている。
【００１９】
このような電磁アクチュエータの場合、電磁石１４をＯＮ，ＯＦＦ作動させれば、ブレード部１２は他方側から一方側に吸着される一方、一方側から他方側へバネ弾性により離間されて往復動することになり、大風量化を可能とすることができる。
【００２０】
（３）  第３の課題解決手段
この発明の第３の課題解決手段は、上記第１の課題解決手段の構成において、電磁アクチュエータは、ブレード部１２の両側部にあって、ブレード１２を吸着又は離間する左右一対の電磁石１４，１４よりなることを特徴としている。
【００２１】
このような電磁アクチュエータの場合、左右一対の電磁石１４，１４を交互にＯＮ，ＯＦＦ作動させれば、ブレード部１２は他方側から一方側へ、一方側から他方側へと、それぞれ交互に大きな電磁力で吸引されて往復動することになり、大風量化を可能とすることができる。
【００２２】
（４）  第４の課題解決手段
この発明の第４の課題解決手段は、上記第１の課題解決手段の構成において、ブレード部１２側には着磁部が形成されている一方、電磁アクチュエータは、上記ブレード部１２の両側部にあって、ブレード部１２の着磁部の極性に応じてブレード部１２を往復動方向に交互に吸着又は反発する左右一対の電磁石１４，１４よりなることを特徴としている。
【００２３】
このような電磁アクチュエータの場合、電磁コイルに流す電流の方向を変えるなどして、左右一対の電磁石１４，１４の極性を交互に切り換えれば、ブレード部１２は他方側から一方側へ、一方側から他方側へと交互に大きな電磁力で吸引又は反発されて往復動することになり、大風量化を可能とすることができる。
【００２４】
（５）  第５の課題解決手段
この発明の第５の課題解決手段は、上記第１の課題解決手段の構成において、電磁アクチュエータは、リニアモータ型の電磁アクチュエータよりなることを特徴としている。
【００２５】
このように、弾性振動板ファンのブレードアクチュエータとして、リニアモータ型の電磁アクチュエータを採用した場合、単なる電磁石による吸着又は離間と異なり、ブレード部駆動幅の全範囲において、常時均等な駆動力を作用させることができ、きわめて安定したブレード１２の往復駆動が可能になる。
【００２６】
また、それゆえ連続的でスムーズな高速駆動が可能となる。
【００２７】
（６）  第６の課題解決手段
この発明の第６の課題解決手段は、上記第５の課題解決手段の構成において、リニアモータ型の電磁アクチュエータは、電磁コイル２６を備えた固定子２５と、該固定子２５に対応して相対的に可動するブレード部１２側に取り付けられた振動子２４とからなることを特徴としている。
【００２８】
このような構成によると、固定子２５と振動子２４との間に、往復動方向に向いて生じる吸引又は反発力によって、効率良く振動子２４が可動され、効率良くブレード部１２を往復駆動する。
【００２９】
（７）  第７の課題解決手段
この発明の第７の課題解決手段は、上記第６の課題解決手段の構成において、固定子２５は、両端側に所定の距離をおいて一対の磁極部２５ａ，２５ｂを備え、同一対の磁極部２５ａ，２５ｂは、巻成された電磁コイル２６に印加される電流の方向に応じて相互に極性が切り換えられるようになっているとともに、対応する振動子２４は、一端側がＮ極、他端側がＳ極に着磁された永久磁石２４ｂと同永久磁石２４ｂを一体化したヨーク２４ａよりなっていることを特徴としている。
【００３０】
このような構成の場合、上記固定子２５側の電磁コイル２６に通電すると上記固定子２５の一対の磁極部２５ａ，２５ｂにはそれぞれＮ極、Ｓ極が励磁される。このようにして通電により一対の磁極部２５ａ，２５ｂの一方側の極にＮ極、他方側の極にＳ極が励磁されると、それによって生じる磁束は一方側の磁極部（Ｎ極）２５ａでは振動子２４のヨーク方向に、振動子２４のヨーク２４ａ内では他端側の磁極方向に、さらに他方側の磁極部２５ｂでは基部側コモン部方向に流れ、例えば右回りの磁束ループが生じる。この磁束流によって上記振動子２４には例えば左向きの推力が発生し、左方向に吸引されて移動する。
【００３１】
一方、上記電磁コイル２６への通電方向を逆にすると上記一対の磁極部２５ａ，２５ｂに励起される磁極の極性が逆になり、振動子２４は逆方向に移動する。したがって、上記電磁コイル２６の通電方向の切り替えにより、上記振動子２４は左右に往復運動し、通電電流の制御により必要な振幅を得ることができる。
【００３２】
（８）  第８の課題解決手段
この発明の第８の課題解決手段は、上記第６の課題解決手段の構成において、固定子２５は、両端側に所定の距離をおいて一対の磁極部２５ａ，２５ｂを備え、同一対の磁極部２５ａ，２５ｂは、巻成された電磁コイル２６に印加される電流の方向に応じて相互に極性が切り換えられるようになっているとともに、対応する振動子２４は、一端側がＮ極、他端側がＳ極に着磁される電磁石よりなっていることを特徴としている。
【００３３】
このような構成の場合、上記固定子２５側の電磁コイル２６に通電すると上記固定子２５の一対の磁極部２５ａ，２５ｂにはそれぞれＮ極、Ｓ極が励磁される。このようにして通電により一対の磁極部２５ａ，２５ｂの一方側の極にＮ極、他方側の極にＳ極が励磁されると、それによって生じる磁束は一方側の磁極部（Ｎ極）２５ａでは振動子２４のヨーク方向に、振動子２４のヨーク２４ａ内では他端側の磁極方向に、さらに他方側の磁極部２５ｂでは基部側コモン部方向に流れ、例えば右回りの磁束ループが生じる。この磁束流によって上記振動子２４には例えば左向きの推力が発生し、左方向に吸引されて移動する。
【００３４】
一方、上記電磁コイル２６への通電方向を逆にすると上記一対の磁極部２５ａ，２５ｂに励起される磁極の極性が逆になり、振動子２４は逆方向に移動する。したがって、上記電磁コイル２６の通電方向の切替により、上記振動子２４は左右に往復運動し、通電電流の制御により必要な振幅を得ることができる。
【００３５】
（９）  第９の課題解決手段
この発明の第９の課題解決手段は、上記第６の課題解決手段の構成において、固定子２５は、両端側と中央部に各々所定の距離をおいて磁極部２５ａ，２５ｂ，２５ｃを備え、それら各磁極部２５ａ，２５ｂ，２５ｃは、巻成された電磁コイル２６に印加される電流の方向に応じて相互に極性が切り換えられるようになっているとともに、対応する振動子２４は、一端側がＮ極、他端側がＳ極に着磁された永久磁石２４ｂと同永久磁石２４ｂを一体化したヨーク２４ａよりなっていることを特徴としている。
【００３６】
このような構成の場合、上記固定子２５側の電磁コイル２６に通電すると、上記固定子２５両端の磁極部２５ａ，２５ｂにはＮ極、中央の磁極部２５ｃにはＳ極がそれぞれ励磁される。このように両端側の磁極部２５ａ，２５ｂの各々の極にＮ極、中央の磁極部２５ｃの極にＳ極が励磁されると、振動子２４に一体化された永久磁石２４ｂの一端側Ｎ極はＮ極に励磁された磁極部２５ａ，２５ｂのどちらかと反発し、振動子２４に一体化された永久磁石２４ｂの他端側Ｓ極はＮ極に励磁された磁極部２５ａ，２５ｂのどちらかと吸引することで、推力が発生し、この場合、上記振動子２４は永久磁石２４ｂのＮ極からＳ極の方向へ移動する。
【００３７】
一方、上記電磁コイル２６への通電方向を逆にすると、上記各磁極部２５ａ，２５ｂ，，２５ｃに励起される磁極の極性が逆になり、振動子２４は逆方向に移動する。したがって、上記電磁コイル２６の通電方向の切り替えにより、上記振動子２４は左右に往復運動し、通電電流の制御により必要な振幅を得ることができる。
【００３８】
（１０）  第１０の課題解決手段
この発明の第１０の課題解決手段は、上記第６の課題解決手段の構成において、固定子２５は、両端側と中央部に各々所定の距離をおいて磁極部２５ａ，２５ｂ，２５ｃを備え、それら各磁極部２５ａ，２５ｂ，２５ｃは、巻成された電磁コイル２６に印加される電流の方向に応じて相互に極性が切り換えられるようになっているとともに、対応する振動子２４は、一端側がＮ極、他端側がＳ極に着磁される電磁石よりなっていることを特徴としている。
【００３９】
このような構成の場合、上記固定子２５側の電磁コイル２６に通電すると、上記固定子２５両端の磁極部２５ａ，２５ｂにはＮ極、中央の磁極部２５ｃにはＳ極がそれぞれ励磁される。このように両端側の磁極部２５ａ，２５ｂの各々の極にＮ極、中央の磁極部２５ｃの極にＳ極が励磁されると、振動子２４に一体化された電磁石の一端側Ｎ極は、Ｎ極に励磁された磁極部２５ａ，２５ｂのどちらかと反発し、振動子２４に一体化された永久磁石２４ｂの他端側Ｓ極は、Ｎ極に励磁された磁極部２５ａ，２５ｂのどちらかと吸引することで、推力が発生し、この場合、上記振動子２４は電磁石２４ｂのＮ極からＳ極の方向へ移動する。
【００４０】
一方、上記電磁コイル２６への通電方向を逆にすると、上記各磁極部２５ａ，２５ｂ，２５ｃに励起される磁極の極性が逆になり、振動子２４は逆方向に移動する。したがって、上記電磁コイル２６の通電方向の切替により、上記振動子２４は左右に往復運動し、通電電流の制御により必要な振幅を得ることができる。
【発明の効果】
【００４１】
以上の結果、本願発明の弾性振動板ファンによると、容易かつ低コストに、駆動力、駆動幅の大きな弾性振動板ファンを提供することができるようになり、空気調和機や空気清浄機等の送風ユニットとして大風量を得ようとした場合にも有効に対応することができる。
【発明を実施するための最良の形態】
【００４２】
（最良の実施の形態１）
先ず図１及び図２は、本願発明の最良の実施の形態１に係る弾性振動板ファンの構成を示している。
【００４３】
この最良の実施の形態では、当該弾性振動板ファンのブレード部を駆動するアクチュエータとして、例えば例えば一対の電磁石が採用され、そのＯＮ，ＯＦＦによりブレードが吸着又は離間されて往復動するように構成されている。
【００４４】
そして、それによって、例えば空気調和機や空気清浄機等の送風ユニットとして使用された場合の送風性能を有効に増大させ得るようにしたことを特徴としている。
【００４５】
弾性振動板ファン１０は、例えば弾性率の大きい左右一対の磁性金属板（鉄系金属等の磁性体よりなる金属板）１１，１１と、該左右一対の磁性金属板１１，１１の間に挟持された弾性率の大きい例えばプラスチック製の薄板よりなるブレード部１２と、上記左右一対の磁性金属板１１，１１およびブレード部１２の基端側を固定する固定部材１３とから構成されている。ブレード部１２は、左右一対の磁性金属板１１，１１よりも長さが長く、それ単独で所望の風量を得るに十分な振幅と羽根幅のものに形成されている。
【００４６】
一方、符号１４，１４は、それぞれ鉄心（コア）１４ａ，１４ａにコイル１４ｂ，１４ｂを巻成して構成した一対の電磁石であり、該一対の電磁石１４，１４は、上記ブレード１２を挟んだ上記磁性金属板１１，１１の先端部寄り位置の左右両側に位置してコイル１４ｂ，１４ｂのない鉄心１４ａ，１４ａの内側面側同士を対向させ、それらの間に所定の間隔を保った状態で設けられている。
【００４７】
上記鉄心１４ａ，１４ａ間の所定の間隔は、図示のように磁性金属板１１，１１に対して十分な電磁吸引力を作用させることができて、かつ上記ブレード部１２の往復駆動に必要な振幅θを得るに十分な間隔となっている。なお、上記各電磁石１４，１４は、それぞれ下部側が支持部材１５，１５を介して所定の筺体部分に固定されている。
【００４８】
したがって、今上記一対の電磁石１４，１４を所定の周期で交互にＯＮ，ＯＦＦすると、上記ブレード部１２両側の磁性金属板１１，１１は、交互に吸着又は離間されて、ブレード部１２はその弾性により、図示のように弓形に撓みながら、左右に往復振動するようになり、所定の振幅で、うちわ状に振動する。そして、同ブレード部１２が中正点に復元するときに、押し出された空気が矢印で示すように前面方向に飛び出して、風を発生させる。
【００４９】
上記電磁石１４，１４における磁性金属板１１，１１の電磁吸引力は、上記コイル１４ｂ，１４ｂの巻数を変えるか、または同コイル１４ｂ，１４ｂに流す電流の値を変えることにより、任意に調節することができる。
【００５０】
したがって、以上のように一対の電磁石１４，１４をブレード部１２の駆動アクチュエータとして採用すると、風量の増大要求に対応して、当該ブレード部１２の羽根幅、羽根長さ、駆動振幅を大きくしたような場合にも、それに応じて自由に（無理なく）駆動力、駆動幅を大きくすることが可能となる。
【００５１】
（変形例）
（１）  以上の構成では、ブレード部１２とは別に磁性金属板１１，１１を設けるようにしたが、これは例えばブレード部１２自体を、同様に弾性率の高い同様の磁性金属板に形成するようにしても、ほぼ同様の作用効果を実現することができる。
【００５２】
そのようにすると、上記磁性金属板１１，１１を省略することができる。
【００５３】
また、もちろん上記ブレード部１２の上記電磁石１４，１４の鉄心１４ａ，１４ａに対応する部分のみを磁性体に構成するようにしてもよい。
【００５４】
また、上記磁性金属板１１，１１は、例えば必ずしも金属板に限らず磁性樹脂薄膜や薄膜タイプの永久磁石をブレード部１２に貼付一体化するようにしたものでもよい。
【００５５】
（２）  以上の構成では、左右一対の電磁石１４，１４をブレード部１２を挟んで対向させるようにしたが、該電磁石１４は片方側のみであっても、上記ブレード部１２は振動可能であり、用途によっては単一電磁石（一方側電磁石１４）のみでの駆動も可能である。
【００５６】
（３）  上記左右一対の電磁石１４，１４およびブレード部１２等は、必要に応じて上記支持部材１５，１５と固定部材１３とを何らかの連結部材により連結することにより、相互に一体のファンユニットとして構成される。
【００５７】
（４）  一対の電磁石１４，１４の鉄心（コア）１４ａ，１４ａ部分には、例えば積層構造の電磁鋼板又はフェライトコアなどの軟磁性材料が使用される。
【００５８】
（最良の実施の形態２）
次に、図３は、本願発明の最良の実施の形態２に係る弾性振動板ファンの構成を示している。
【００５９】
この最良の実施の形態の構成は、上記最良の実施の形態１の構成において、例えば図３に示すように、磁性金属板１１，１１を中抜き構造（図３中の符号１６が中抜き部を示す）として共振周波数の調整を行うようにしたことを特徴とするものである。
【００６０】
その他の構成および作用は、全て上述の最良の実施の形態１のものと同様である。
【００６１】
（最良の実施の形態３）
以上の最良の実施の形態１，２の構成では、上記左右一対の電磁石１４，１４を交互にＯＮ，ＯＦＦ駆動することにより、ブレード部１２の両側に一体に設けた磁性金属板１１，１１を吸着又は離間して、ブレード部１２を往復動させるようにした。
【００６２】
しかし、これは例えばブレード部１２両側の上記左右一対の磁性金属板１１，１１を、一側面側から他面側に相互に連続したものとして、その何れか一方側の電磁石１４との対向面をＮ極、他方側の電磁石１４との対向面をＳ極に着磁したマグネットプレートに変更し、上記左右一対の電磁石１４，１４に対向する部分を所定の着磁部に形成した場合において、当該左右一対の電磁石１４，１４各々の極性をＮからＳ、ＳからＮと交互に切り換えるようにしても、同様の駆動が可能になる。
【００６３】
このような構成を採用した場合、ブレード部１２を往復駆動させるに際して、異極状態での電磁的な吸引力だけでなく、同極状態での電磁的な反発力をも同時に作用させることができるので、駆動効率が倍増し、非常に応答性の良いものとなる。また、その場合、マグネットプレート１１，１１（ブレード部１２）が、相手側電磁石１４の鉄心１４ａ部分に当接する直前で若干早めに上述の極性を切り換えるようにすると、鉄心１４ａへの当接直前で同極性による反発弾性を得ることができ、磁力によるダンパー機能を持たせることができる。その結果、高速作動が可能になる。
【００６４】
この場合、上記電磁石１４，１４に対応する所定の着磁部は、上記のようなマグネット（永久磁石）構造の場合に限らず、少なくとも作動時において着磁部となるプリントコイル形の電磁石構造その他の各種着磁構造が任意に採用される。もちろん、ブレード部１２自体又はその一部を同様な構造にする場合も含まれる。
【００６５】
（最良の実施の形態４）
次に、図４および図５は、本願発明の最良の実施の形態４に係る弾性振動板ファンの構成を示している。
【００６６】
この最良の実施の形態の構成は、当該弾性振動板ファンのブレード部を駆動するアクチュエータとして、例えばリニアモータ型の電磁アクチュエータが採用され、その駆動によりブレード部が高速で往復動するように構成されている。
【００６７】
そして、それによって、当該弾性振動板ファンが、例えば空気調和機等の送風ユニットとして使用された場合の送風性能を有効に増大させ得るようにしたことを特徴としている。
【００６８】
すなわち、この弾性振動板ファン２０は、例えば弾性率の大きい左右一対の非磁性金属板２１，２１と、該左右一対の非磁性金属板２１，２１の間に挟持された弾性率の大きい例えばプラスチック製の薄板よりなるブレード部２２と、上記左右一対の非磁性金属板２１，２１およびブレード部２２の基端側を固定する固定部材２３とから構成されている。ブレード部１２は、左右一対の非磁性金属板２１，２１よりも長さが長く、それ単独で所望の風量を得るに十分な振幅と羽根幅のものに形成されている。
【００６９】
一方、符号２４，２５は、それぞれ相互に対向して平行に相対移動する振動子（振り子）と固定子（ステータ）であり、所定の磁気ギャップを有して相互に対向して、いわゆるリニアモータを構成している。振動子２４は、例えばフェライトよりなるヨーク（コア）２４ａの前面に永久磁石（マグネット）２４ｂを一体化して構成されている。そして、上記非磁性金属板２１，２１の先端寄り部分に図３のものと同様の中抜き部２８を介して固定されている。上記永久磁石２４ｂは、一端側がＮ極、他端側がＳ極に着磁固定されている。
【００７０】
一方、固定子２５は、例えばフェライトよりなるＥ型形状のコア２５の両端側および中央に各々磁極部２５ａ，２５ｂ，２５ｃを有し、中央の磁極部２５ｃに電磁コイル２６を巻成して構成されている（もちろん、この場合、上記各磁極部２５ａ，２５ｂ，２５ｃの各々に電磁コイル２６を巻成してもよい）。該固定子２５は、上記のようにブレード部２２および上記ブレード部２２を挟んだ上記非磁性金属板２１，２１を相互に左右に貫通して形成された中抜き孔２８内の先端部寄りに位置して磁性面側同士を円弧面状にして対向させ、それらの間に所定の磁気ギャップを保った状態で相対移動（略平行移動）可能に設けられている。
【００７１】
上記振動子２４および固定子２５各々の両端側磁極部間の幅は、図示のようにブレード部２２の往復駆動に必要な振幅θを得るに十分な幅となっている。なお、上記固定子２５は、下部側が支持部材２７を介して所定の筺体に固定されている。
【００７２】
このような構成の場合、上記固定子２５側の電磁コイル２６に通電すると、上記固定子２５両端の磁極部２５ａ，２５ｂにはＮ極、中央の磁極部２５ｃにはＳ極がそれぞれ励磁される。このように両端側の磁極部２５ａ，２５ｂの各々の極にＮ極、中央の磁極部２５ｃの極にＳ極が励磁されると、上記振動子２４に一体化された永久磁石２４ｂの一端側Ｎ極は、Ｎ極に励磁された磁極部２５ａ，２５ｂのどちらかと反発する一方、上記振動子２４に一体化された永久磁石２４ｂの他端側Ｓ極は、Ｎ極に励磁された磁極部２５ａ，２５ｂのどちらかと吸引することで、推力が発生し、この場合、上記振動子２４は永久磁石２４ｂのＮ極からＳ極の方向へ移動する。
【００７３】
一方、上記電磁コイル２６への通電方向を逆にすると、上記各磁極部２５ａ，２５ｂ，，２５ｃに励起される磁極の極性が逆になり、振動子２４は逆方向に移動する。したがって、上記電磁コイル２６の通電方向の切り替えにより、上記振動子２４は左右に往復運動し、通電電流の制御により必要な振幅を得ることができる。
【００７４】
したがって、今上記固定子２５側の電磁コイル２６に電源を印加して、上記リニアモータ型の電磁アクチュエータを駆動すると、振動子２４とともに上記ブレード部２２および非磁性金属板２１，２１が左右に往復動されて、上記ブレード部２２は、その弾性により図示のように弓形に撓みながら、左右に往復振動するようになり、所定の振幅で、うちわ状に振動する。そして、同ブレード部２２が中正点に復元するときに、押し出された空気が矢印で示すように前面方向に飛び出して、風を発生させる。
【００７５】
上記リニアモータ型の電磁アクチュエータにおける上記左右方向の駆動力は、上記固定子２５の電磁コイル２６の巻数を変えるか、または同電磁コイル２６に流す電流の値を変えることにより、任意に調節することができる。
【００７６】
したがって、このようなリニアモータ型の電磁アクチュエータをブレード部２２の駆動アクチュエータとして採用すると、風量の増大要求に対応して、当該ブレード部２２の羽根幅、羽根長さを大きくしたような場合にも、それに応じて自由に（無理なく）駆動力（駆動幅）を大きくすることが可能となる。
【００７７】
（変形例）
以上の構成は、さらに次のような種々の変形が可能である。
【００７８】
（１）  非磁性金属板２１，２１は、片面側のもの１枚でもよい。また、金属板に限らず、例えば弾性率の高い合成樹脂板でもよい。
【００７９】
（２）  固定子２５のＥ型コアは、磁性体であるが、その材料としては積層電磁鋼板、またはフェライトなどの軟磁性材料を用いることができる。
【００８０】
（３）  また、上記の構成の場合、上記固定子２５の中央の磁極部２５ｃには少なくとも１つ以上の電磁コイル２６（巻線）が巻かれ、それに電流を通電することで振動子２４との間に発生する電磁力により非磁性金属板２１，２１を変位させるが、上記電磁コイル２６に流れる電流を適度にＯＮ−ＯＦＦする、また強弱調節する、さらに正弦波状に通電することなどで、ブレード部２２を連続的に振動させることができるようになる。
【００８１】
また、以上の構成では、振動子２４に永久磁石２４ｂを用いているが、例えば固定子２５に２つ以上の電磁コイル（例えば両端側各磁極部２５ａ，２５ｂの）を用いてＯＮ，ＯＦＦするようにすると、永久磁石２４ｂを用いずに振動子２４は鉄などの磁性体のみで構成することもでき、低コスト化と永久磁石の割れ等による不具合を無くすることができる。
【００８２】
（４）  また、固定子２５は、上述のような３つの磁極部を有するＥ型コアによる場合に限らず、各磁極部の各々又は各磁極部間の中央部に電磁コイル２６・２６又は２６を巻成し、その両端側２つの磁極部２５ａ，２５ｂの各々にＮ極又はＳ極を形成するようにしたコ字形コアの場合であってもよい。
【００８３】
その場合、電磁コイル２６・２６又は２６への通電によって生じる磁束は、一方側の磁極部（Ｎ極）２５ａでは振動子２４のヨーク方向に、振動子２４のヨーク２４ａ内では他端側の磁極方向に、さらに他方側の磁極部２５ｂでは基部側コモン部方向に流れ、例えば右回りの磁束ループが生じる。この磁束流によって上記振動子２４には例えば左向きの推力が発生し、左方向に吸引されて移動する。
【００８４】
また、電磁コイル２６への通電方向を逆にすると、上記各磁極部２５ａ，２５ｂに励起される磁極の極性が逆になり、振動子２４は左右に往復運動し、通電電流の制御により必要な振幅を得ることができる。
【図面の簡単な説明】
【００８５】
【図１】本願発明を実施するための最良の形態１に係る弾性振動板ファンの構成を示す上面側から見た図である。
【図２】同弾性振動板ファンの左側面側から見た図である。
【図３】本願発明を実施するための最良の形態２に係る弾性振動板ファンの構成を示す左側面側から見た図である。
【図４】本願発明を実施するための最良の形態４に係る弾性振動板ファンの構成を示す上面側から見た図である。
【図５】同弾性振動板ファンの左側面側から見た図である。
【図６】従来例に係る弾性振動板ファンの構成を示す斜視図である。
【符号の説明】
【００８６】
１０：弾性振動板ファン
１１：磁性金属板
１２：ブレード部
１３：固定部材
１４：電磁石
２０：弾性振動板ファン
２１：非磁性金属板
２２：ブレード部
２３：固定部材
２４：振動子
２５：固定子
【図１】
2005133555.tif 000003
【図２】
2005133555.tif 000004
【図３】
2005133555.tif 000005
【図４】
2005133555.tif 000006
【図５】
2005133555.tif 000007
【図６】
2005133555.tif 000008